(57)【要約】【課題】周囲に対する撮影が行われる可能性の事前周知や撮影実行の周知を徹底し、また、撮影が行われた場合にはその証拠を撮影者の携帯電話機以外の外部にも残すようにすることによって、盗撮を抑止し、且つ、盗撮誤認を防止する。【解決手段】撮像部の起動時（撮像部による撮影時）に、少なくとも送信元を示す情報を含む起動告知情報（撮影告知情報）を生成し、当該起動告知情報（撮影告知情報）を周囲の携帯端末装置へ送信する。また、周囲の携帯端末装置から送信されてきた起動告知情報（撮影告知情報）を受信すると、これを記憶し、且つ、起動告知情報に基づいて使用者に周囲で撮影が行われる可能性があること（撮影告知情報に基づいて使用者に周囲で撮影が行われたこと）を報知する。【選択図】図２
2007228498.tif 000002
【特許請求の範囲】
【請求項１】
撮像部と、
周囲の携帯端末装置と情報の送受信を行う無線通信部と、
前記撮像部の起動時及び／又は前記撮像部による撮影時に、少なくとも送信元を示す情報を含む起動告知情報及び／又は撮影告知情報を生成し、当該起動告知情報及び／又は撮影告知情報を前記無線通信部により周囲の携帯端末装置へ送信させる告知手段と、
前記無線通信部が周囲の携帯端末装置から送信されてきた起動告知情報及び／又は撮影告知情報を受信すると、前記起動告知情報に基づいて使用者に周囲で撮影が行われる可能性があること及び／又は前記撮影告知情報に基づいて使用者に周囲で撮影が行われたことを報知する報知手段と、
前記無線通信部が受信した起動告知情報及び／又は撮影告知情報を記憶する告知情報記憶部と、
を備えることを特徴とする携帯端末装置。
【請求項２】
前記告知手段は、送信日時と送信場所とを含む前記起動告知情報及び／又は前記撮影告知情報を生成することを特徴とする請求項１に記載の携帯端末装置。
【請求項３】
前記告知手段は、前記撮像部により撮影された画像を含む前記撮影告知情報を生成することを特徴とする請求項１又は２に記載の携帯端末装置。
【請求項４】
前記無線通信部は、基地局と情報の送受信をも行い、
前記告知手段は、前記起動告知情報及び／又は前記撮影告知情報を前記無線通信部により基地局へも送信させる
ことを特徴とする請求項１〜３の何れかに記載の携帯端末装置。
【請求項５】
前記無線通信部は、基地局と情報の送受信をも行い、
前記告知手段は、
少なくとも送信元を示す情報と送信日時と送信場所とを含む正情報と、前記正情報に関連付けられ当該正情報を問合せ可能な副情報とを生成し、
前記正情報を前記起動告知情報及び／又は前記撮影告知情報として、基地局へ前記無線通信部により送信させ、
周囲の携帯端末装置へは、前記副情報を前記起動告知情報及び／又は前記撮影告知情報として、前記無線通信部により送信させる
ことを特徴とする請求項１に記載の携帯端末装置。
【請求項６】
前記告知手段は、前記撮像部により撮影された画像を含む前記正情報を生成することを特徴とする請求項５に記載の携帯端末装置。
【請求項７】
前記報知手段は、前記無線通信部が起動告知情報及び／又は撮影告知情報を受信すると、音声を出力することを特徴とする請求項１〜６の何れかに記載の携帯端末装置。
【請求項８】
前記報知手段は、報知すべき内容を表す画像を表示することを特徴とする請求項１〜７の何れかに記載の携帯端末装置。
【請求項９】
周囲の音を取り込む集音部と、
前記撮像部が撮影した画像に、前記集音部が取り込んだ撮影時の周囲の騒音データを付加する手段と、
を更に備えることを特徴とする請求項１〜８の何れかに記載の携帯端末装置。
【請求項１０】
請求項１〜９の何れかに記載の携帯端末装置と、
当該携帯端末装置との間で無線通信回線を確立する基地局と、
からなることを特徴とする通信システム。
【発明の詳細な説明】
【技術分野】
【０００１】
本発明は、携帯端末装置及び通信システムに関する。
【背景技術】
【０００２】
近年の携帯電話機等の携帯端末装置には、撮像機能が付加されたものが多くある。携帯電話機の撮像機能は、撮影時に音声を発することによって周囲に対して撮影が行われたことを周知するようにされている。これは、携帯電話機による撮影は、カメラでの撮影と比較して周囲にそれと認知されにくく、このために盗撮等に悪用される恐れがあることへの対応である。
【０００３】
人込み等では、上述の撮影時の音声が聞き取りにくいことがあり、逆に静かなところでは撮影時の音声が大きすぎて耳障りとなることに対して、特許文献１に記載の技術が考え出されている。この技術は、周囲の騒音に応じて撮影時の音声の音量を自動的に変更するというものである。
また、特許文献２には、撮影前に音声を発して周囲に撮影が行われることを事前告知し、更に、撮影された画像に、撮影に使用された携帯電話機の電話番号や、撮影日時、撮影場所等を電子透かしによって一体不可分に不可し、携帯電話機が備える画像メモリに記憶するという技術が記載されている。
【特許文献１】特開２００５−８４６２８号公報
【特許文献２】特開２００４−２４２０９６号公報
【発明の開示】
【発明が解決しようとする課題】
【０００４】
特許文献１に記載の技術では、人込み等、周囲の騒音が大きい場合には、撮影時の音声の音量を大きくするが、しかし、撮影者と係わりのない周囲にとって、撮影時の音声は、不意に発せられるものであるので、音声が十分な音量を持っていたとしても、周囲は、例えば会話していたり音楽を聴いていたりという場合等には特に、聞き逃してしまう恐れがある。
また、特許文献２に記載の技術では、撮影された画像の電子透かしを解析することによって、撮影に使用された携帯電話機や撮影日時、撮影場所を特定することはできるが、しかし、撮影された画像は撮影した携帯電話機に格納されているので、撮影者が携帯電話機に格納された画像を消去したり、携帯電話機を破壊してしまえば、証拠が消えてしまうこととなる。
撮影の証拠が残らない場合、盗撮が行われた場合の証拠がないという不都合もあるが、同時に、盗撮したと誤認された場合に疑いを晴らすための証拠もないという不都合がある。
【０００５】
本発明は、上述した事情に鑑みてなされたもので、周囲に対する撮影が行われる可能性の事前周知や撮影実行の周知を徹底し、また、撮影が行われた場合にはその証拠を撮影者の携帯電話機以外の外部にも残すようにすることによって、盗撮を抑止し、且つ、盗撮誤認を防止することを目的とする。
【課題を解決するための手段】
【０００６】
上記課題を解決するために、本発明では、携帯端末装置に係る第１の手段として、撮像部と、周囲の携帯端末装置と情報の送受信を行う無線通信部と、前記撮像部の起動時及び／又は前記撮像部による撮影時に、少なくとも送信元を示す情報を含む起動告知情報及び／又は撮影告知情報を生成し、当該起動告知情報及び／又は撮影告知情報を前記無線通信部により周囲の携帯端末装置へ送信させる告知手段と、前記無線通信部が周囲の携帯端末装置から送信されてきた起動告知情報及び／又は撮影告知情報を受信すると、前記起動告知情報に基づいて使用者に周囲で撮影が行われる可能性があること及び／又は前記撮影告知情報に基づいて使用者に周囲で撮影が行われたことを報知する報知手段と、前記無線通信部が受信した起動告知情報及び／又は撮影告知情報を記憶する告知情報記憶部と、を備えるものを採用した。
【０００７】
また、携帯端末装置に係る第２の手段として、上記第１の手段において、前記告知手段は、送信日時と送信場所とを含む前記起動告知情報及び／又は前記撮影告知情報を生成するものを採用した。
【０００８】
携帯端末装置に係る第３の手段として、上記第１又は２の手段において、前記告知手段は、前記撮像部により撮影された画像を含む前記撮影告知情報を生成するものを採用した。
【０００９】
携帯端末装置に係る第４の手段として、上記第１〜３の何れかの手段において、前記無線通信部は、基地局と情報の送受信をも行い、前記告知手段は、前記起動告知情報及び／又は前記撮影告知情報を前記無線通信部により基地局へも送信させるものを採用した。
【００１０】
携帯端末装置に係る第５の手段として、上記第１の手段において、前記無線通信部は、基地局と情報の送受信をも行い、前記告知手段は、少なくとも送信元を示す情報と送信日時と送信場所とを含む正情報と、前記正情報に関連付けられ当該正情報を問合せ可能な副情報とを生成し、前記正情報を前記起動告知情報及び／又は前記撮影告知情報として、基地局へ前記無線通信部により送信させ、周囲の携帯端末装置へは、前記副情報を前記起動告知情報及び／又は前記撮影告知情報として、前記無線通信部により送信させるものを採用した。
【００１１】
携帯端末装置に係る第６の手段として、上記第５の手段において、前記告知手段は、前記撮像部により撮影された画像を含む前記正情報を生成するものを採用した。
【００１２】
携帯端末装置に係る第７の手段として、上記第１〜６の何れかの手段において、前記報知手段は、前記無線通信部が起動告知情報及び／又は撮影告知情報を受信すると、音声を出力するものを採用した。
【００１３】
携帯端末装置に係る第８の手段として、上記第１〜７の何れかの手段において、前記報知手段は、報知すべき内容を表す画像を表示するものを採用した。
【００１４】
携帯端末装置に係る第９の手段として、上記第１〜８の何れかの手段において、周囲の音を取り込む集音部と、前記撮像部が撮影した画像に、前記集音部が取り込んだ撮影時の周囲の騒音データを付加する手段と、を更に備えるものを採用した。
【００１５】
通信システムに係る第１の手段として、請求項１〜９の何れかに記載の携帯端末装置と、当該携帯端末装置との間で無線通信回線を確立する基地局と、からなるものを採用した。
【発明の効果】
【００１６】
本発明によれば、撮像部の起動や撮影を告知する情報を無線で送受信するので、従来の音声のみによる告知に比べて撮影が行われることや行われたことを知らしめる確実性を高めることができ、撮像部の起動や撮影を行ったことの証拠を残すことができるので、盗撮を抑止し、且つ、盗撮誤認を防止することができる。
【発明を実施するための最良の形態】
【００１７】
以下、本発明の携帯端末装置の一実施形態である携帯電話機について図面を参照して説明する。図１は、本実施形態における携帯電話機の構成を示すブロック図である。本実施形態の携帯電話機は、操作部１、表示部２、表示制御部３、基地局用送受信部４、電話機能部５、外部スピーカ６（音声出力部）、近距離端末用送受信部７、記憶部８（告知情報記憶部）、制御部９（告知手段、報知手段）、撮像部１０を備えている。基地局用送受信部４及び近距離端末用送受信部７は、無線通信部を構成する。
【００１８】
操作部１は、使用者が操作可能な複数のキーを備え、これらのキーにより、使用者からの電話発信やメール送信、撮影等の各種操作を受け付け、制御部９に出力する。
表示部２は、液晶パネル等であり、表示制御部３から入力される画像信号に基づいて各種画像を表示面に表示するものである。
表示制御部３は、制御部９による制御の下に、表示部２に表示すべき画像の制御信号を生成して、表示部２に出力する。
【００１９】
基地局用送受信部４は、制御部９による制御の下に、基地局との間で無線通信回線を確立して、情報通信を行う。
電話機能部５は、マイク、スピーカ等から構成され、ユーザの音声を集音し、通話相手の音声を発音する。
外部スピーカ６は、アラームや警告音等の各種案内音声を出力する。
【００２０】
近距離端末用送受信部７は、制御部９による制御の下に、周囲の携帯電話機との間で、赤外線通信や、微弱な電波による通信を行う。ここで用いる電波としては、例えば、携帯電話機に近年搭載されるようになってきている電子マネー機能に用いられている周波数帯が利用可能である。電子マネー機能は、ＩＣチップ及びアンテナを備える非接触ＩＣタグを用い、アンテナがリーダから電波を受けることにより発生する電力によって、ＩＣチップに記憶された情報をリーダに送信する構成とされているが、ここでは、本携帯電話機が備える図示しないバッテリーの電力を用いて、電子マネー機能で用いられるより高い出力の電波をアンテナから周囲の携帯電話機に対して送信することが考えられる。
【００２１】
記憶部８は、制御部９が実行する電話プログラムやメールプログラム、撮像プログラム等の各種プログラムや、各種設定値等を記憶する。
制御部９は、内部メモリに記憶された制御プログラム及び各種制御用データに基づいて本携帯電話機の全体動作を制御するものであり、上記制御プログラム及び各種制御用データ等に基づいて制御演算を行うＣＰＵ（Central Processing Unit）及び他の各部と信号の授受を行う各種入出力インターフェース回路等から構成されている。
【００２２】
撮像部１０は、たとえばＣＣＤ（Charge Coupled Device）等の撮像素子とレンズ等の光学系とを有し、撮像プログラムに基づいた制御部９の制御の下に、撮影を行う。撮影された画像は、記憶部８に保存される。
【００２３】
図２は、本携帯電話機の撮像部１０が起動された際に、本携帯電話機、周囲の携帯電話機及び基地局で行われる処理のシーケンス図である。上記構成において、本携帯電話機は、ユーザが、操作部１に、撮像部１０を起動させるよう指示する操作を行うと、この操作を受け付けた操作部１は、その旨を示す信号を制御部９に出力し、この信号を受けた制御部９は、撮像部１０を起動させる（ステップＳａ１）と共に、近距離端末用送受信部７から周囲の携帯電話機に対して「起動告知」を行う（ステップＳａ２）。
起動告知により周囲の携帯電話機に送信される情報には、本携帯電話機の撮像部１０が起動したことを示す情報を含む。
【００２４】
周囲の携帯電話機は、近距離端末用送受信部７が起動告知を受信すると、制御部９による制御の下に、近距離端末用送受信部７が受信した情報を記憶部８に記憶し、外部スピーカ６が警告音を発声すると共に、表示制御部３が、近距離端末用送受信部７が受信した情報に基づいた画像信号を生成し、表示部２に画像を表示させる（ステップＳｂ１）。ここで表示部２に表示させる画像としては、例えば、「この近くで携帯電話機のカメラが起動されました」等のメッセージを含むものが考えられる。
【００２５】
続いて、本携帯電話機は、ユーザが、操作部１に、シャッター押下の操作を行うと、この操作を受け付けた操作部１は、その旨を示す信号を制御部９に出力し、この信号を受けた制御部９は、撮像部１０に撮影を実行させる（ステップＳａ３）と共に、近距離端末用送受信部７から周囲の携帯電話機に対して「撮影告知」を行い（ステップＳａ４）、更に、基地局に対して、撮影データを送信する（ステップＳａ５）。
【００２６】
基地局に送信される撮影データには、撮影に用いられた携帯電話機の電話番号、撮影日時、撮影場所、撮影画像、識別データを含む。識別データは、この撮影データ固有の番号等である。
基地局は、記憶装置を備え、撮影データを受信すると、これを記憶装置に保存する（ステップＳｃ１）。
【００２７】
撮影告知により周囲の携帯電話機に送信される情報には、本携帯電話機において撮影が行われたことを示す情報と、識別データとを含む。識別データは、基地局に送信された撮影データに含まれるものと同じものである。
周囲の携帯電話機は、近距離端末用送受信部７が撮影告知を受信すると、制御部９による制御の下に、近距離端末用送受信部７が受信した情報を記憶部８に記憶し、外部スピーカ６が警告音を発声すると共に、表示制御部３が、近距離端末用送受信部７が受信した情報に基づいた画像信号を生成し、表示部２に画像を表示させる（ステップＳｂ２）。ここで表示部２に表示させる画像としては、例えば、「この近くの携帯電話機のカメラが撮影を行いました」等のメッセージを含むものが考えられる。
更に、ここで表示部２に表示させる画像には、識別データが含まれる。周囲の携帯電話機のユーザは、必要に応じて、この識別データを用いて、基地局に対して、撮影データを問合せることができる（ステップＳｂ３）。
【００２８】
周囲の携帯電話機のユーザが、撮影告知に含まれる識別データにより、基地局に対して、識別データに対応する撮影データを要求する（ステップＳｂ４）と、基地局は要求に対する応答として、記憶装置から、識別データに対応する撮影データを抽出して（ステップＳｃ２）、要求元に送信する（ステップＳｃ３）。
【００２９】
なお、本実施形態では、特に言及していないが、撮影告知を受信した周囲の携帯電話機における撮影データの問合せは、プライバシーを侵害する恐れがあることを考慮し、例えば、警察署等の所定の機関による許可の下にのみ実行可能としてもよい。
また、実施にあたって、携帯電話機に、周囲の音を取り込む集音部を設け、この集音部により撮影時に周囲の騒音データを取り込み、この騒音データをも撮影データに含めて基地局に送信するようにしてもよい。なお、本実施携帯の電話機能部５を構成するマイクを、ここで用いる集音部として兼用してもよい。
【図面の簡単な説明】
【００３０】
【図１】本発明の一実施形態における携帯電話機の構成を示すブロック図である。
【図２】本発明の一実施形態における携帯電話機同士及び基地局との情報の送受信を時系列に沿って示すシーケンス図である。
【符号の説明】
【００３１】
１…操作部、  ２…表示部（報知手段の一部）、  ３…表示制御部（報知手段の一部）、  ４…基地局用送受信部（無線通信部の一部）、  ５…電話機能部、  ６…外部スピーカ（報知手段の一部）、  ７…近距離端末用送受信部（無線通信部の一部）、  ８…記憶部（告知情報記憶部）、  ９…制御部（告知手段、報知手段の一部）、  １０…撮像部
【図１】
2007228498.tif 000003
【図２】
2007228498.tif 000004